(57)【要約】  本発明の目的は、水圧に応じて水の流れを制御してドリップホースに供給される水圧を一定に保つドリップホース用水圧制御弁提供することである。本水圧制御弁には、分岐ホース（Ｈ／Ｓ）及びドリップホース（Ｈ／Ｎ）に対して、水圧制御弁の両端にてクランプで固定されたホースコネクタ（１１０）、大径経路（１２０a）及び小径経路（１２０ｂ）、Ｕ字型の屈曲性カップ（２００）、及びサポートリング（３００）を有する給水経路が含まれる。 大径経路には凸部（１４１）及び凹部（１４２）を有する段付き座部（１４２）が含まれる。小径経路には内向き突出段差部（１５０）が含まれる。 該カップは、内向き突出段差部に近接するように水圧制御弁端部に配置され、フランジ（２１０）を備えている。 サポートリング（３００）は、カップの除去を防止するために大径経路に嵌装されている。
2006527596.tif 000002
【特許請求の範囲】
【請求項１】
分岐ホース端部及びドリップホース端部の両端にそれぞれクランプで固定したホースコネクタを備えており、給水経路には段付き座部を有する大径経路が含まれ、該段付き座部が凸凹座部の上面に交互に配置された複数の凸部及び凹部を有する凸凹座部及びその所定位置に内向き突出段差部を有する小径経路が含まれることを特徴とする、ホースコネクタ内に給水経路を有するドリップホース用水圧制御弁であって、該水圧制御弁にはさらに、水圧制御弁の第１端に面する部分が開いており、内向き突出段差部に近接するように水圧制御弁の第２端に配置されるＵ字型の屈曲性カップが含まれ、所定のギャップによってＵ字型の屈曲性カップの外面と小径経路とに間隙が保たれる一方、Ｕ字型の屈曲性カップを小径経路に嵌装できるように、Ｕ字型の屈曲性カップの縁から外向きに突出され、凸凹座部によって停止されるフランジを具備するＵ字型の屈曲性カップが含まれ、大径経路端部に嵌装され、Ｕ字型の屈曲性カップの除去を防止するサポートリングが含まれるドリップホース用水圧制御弁。
【請求項２】
ホースコネクタが、凹部に連結されるように小径経路の内周に縦方向に設けられた複数の溝をさらに具備し、該溝のそれぞれがＵ字型の屈曲性カップより長いことを特徴とする請求項１に係る水圧制御弁であって、該水圧制御弁が、大径経路端部に嵌装され、屈曲性カップの内面と近接するようにＵ字型の屈曲性カップの開口部を挿通するホルダをさらに具備し、また、別の給水経路がホルダの中心軸に沿って設けられている請求項１記載の水圧制御弁。
【発明の詳細な説明】
【技術分野】
【０００１】
本発明は、一般に温室で栽培される農作物に供給される水の圧力を制御する能力のある弁に関するものであり、より具体的には、ウォーターポンプの高圧水がドリップホースに供給される前に、その水圧を適切に制御するために構築されたドリップホースに用水圧制御弁に関するものである。
【背景技術】
【０００２】
一般に、促成栽培としては、適切な量の水及び栄養素を農作物に与えることによって温室または大規模農地で栽培される農作物の成長を促進する点滴潅水システムによる栽培方法が提案されている。
【０００３】
この点滴潅水システムによる栽培方法はドリップホースによって実行される。 ドリップホースは、高圧水管、すなわち主給水管の分枝管であって、農作物が栽培される畝と畝間に水を点滴方式で与える管である。
【０００４】
しかし、点滴潅水システムによる栽培方法には、高圧水がドリップホースに供給されると、水噴射孔が破壊されたり水が分散したりすることがあり、水の浪費が起こるという難点がある。
【発明の開示】
【発明が解決しようとする課題】
【０００５】
従って、本発明は、従来の技術において発生する上記問題を念頭に置いてなされたものであって、本発明の目的は、ウォーターポンプの高圧水をドリップホースに供給する前に水圧を適切に制御してドリップホースの損傷を防止する能力のあるドリップホース用水圧制御弁提供することである。
【０００６】
また、本発明の別の目的は、誤動作の可能性がなく、その動作信頼度を最大化できるように簡単な構造を持つ、ドリップホース用水圧制御弁を提供することである。
【課題を解決するための手段】
【０００７】
上記目的を達成するために、本発明は、分岐ホース端部及びドリップホース端部の両端に対してそれぞれクランプで固定されるホースコネクタを含み、給水経路に凸凹座部を備える段付き座部を有する大径経路、及びその所定位置に内向き突出段差部を有する小径経路を含むことを特徴とするホースコネクタ内に給水経路を有するドリップホース用水圧制御弁を提供するものであって、水圧制御弁にはさらに、水圧制御弁の第１端に面する部分が開いており、内向き突出段差部に近接するように水圧制御弁の第２端に配置されるＵ字型の屈曲性カップが含まれ、所定のギャップによってＵ字型の屈曲性カップの外面と小径経路とに間隙が保たれる一方、Ｕ字型の屈曲性カップを小径経路に嵌装できるように、Ｕ字型の屈曲性カップ縁から外向きに突出され、凸凹座部によって停止されるフランジが含まれており、さらに、該水圧制御弁には、大径経路端部に嵌装してＵ字型の屈曲性カップの除去を防止するサポートリングが含まれる。
【０００８】
本発明の上記および他の目的、特徴および他の利点は、下記の添付図面と併せて以下の詳細説明からより明確に理解されるであろう。
【発明を実施するための最良の形態】
【０００９】
これから、すべての図面を通じて同一または類似の構成部品を命名するのに同一参照番号を使用した図面について説明する。
【００１０】
図１〜図４に示すように、本発明の第１実施形態に係る水圧制御弁には、分岐ホースＨ／Ｓ及びドリップホースＨ／Ｎのそれぞれ端部に対して、水圧制御弁の両端にてクランプで固定されるホースコネクタ１１０が含まれる。給水経路はホースコネクタ１１０内に規定し、ホースコネクタ１１０内部には、段付き座部及び小径経路１２０ｂを有する大径経路１２０ａが含まれる。
【００１１】
この場合、該段付き座部は、凸凹座部１４０の上面に交互に配置された複数の凸部１４１及び凹部１４２を有する凸凹座部１４０の形状で製造する。水圧制御弁１００には、さらにＵ字型の屈曲性カップ２００及びサポートリング３００が含まれる。Ｕ字型の屈曲性カップ２００は、水圧制御弁の第１端にて開いている。所定のギャップＰによってＵ字型の屈曲性カップ２００の外面と小径経路１２０ｂとに間隙が保たれる一方、Ｕ字型の屈曲性カップ２００を小径経路１２０ｂに嵌装できるように、フランジ２１０がＵ字型の屈曲性カップ２００の縁から外向きに突出され、凸凹座部１４０によって停止されている。サポートリング３００を大径経路１２０ａ端部に嵌装して、Ｕ字型の屈曲性カップ２００が除去される事故を防止する。
【００１２】
さらに、内向き突出段差部１５０を、小径経路１２０ｂ内に小径経路１２０ｂ壁から内向きに突出するように設け、Ｕ字型の屈曲性カップ２００の第２端に近接させて配置する。
【００１３】
このように構築した水圧制御弁の動作は次の通りである。
【００１４】
つまり、図５に示すように、ホースコネクタ１１０に連結された分岐ホースＨ／Ｓから供給される水の圧力はＵ字型の屈曲性カップ２００の内部に作用する。しかし、水圧が低いとＵ字型の屈曲性カップ２００は外向きに伸張されず、水は凸凹座部１４０の凹部１４０、及び小径経路１２０ｂとＵ字型の屈曲性カップ２００外面との間のギャップＰを通過する。したがって、適切な圧力を有する水がドリップホースにＨ／Ｎに供給される。
【００１５】
その一方、図６に示すように、水圧が高いと、Ｕ字型の屈曲性カップ２００を外向きに伸張すると同時に、水圧はＵ字型の屈曲性カップ２００の内部に作用する。
【００１６】
結果として、Ｕ字型の屈曲性カップ２００は外向きに伸張される。同時に、Ｕ字型の屈曲性カップ２００の外面は小径経路１２０ｂの内周と密接に接触し、Ｕ字型の屈曲性カップ２００の第２端は内向き突出段差部１５０と接触し、かくして水が凸凹座部１４０の凹部１４２を通過することが防止される。
【００１７】
したがって、本発明の水圧制御弁は、水水圧が低いときには所定量の水を供給し、水圧が急速に増加するときには水の流れを防止するように構築されているので、ドリップホースＨ／Ｎの損傷を防止し、水の無駄を防止するため経済的である。
【００１８】
図７〜図１１には、第２本発明の実施形態に係る水圧制御弁を示す。 第２実施形態に係る水圧制御弁は、第１実施形態の水圧制御弁とは反対に動作する。すなわち、第２実施形態の制御弁は、水圧が低いときに水の流れを防止し、水圧が高いときに所定量の水を供給するように構築されている。
【００１９】
複数の溝１４３を、凹部１４２に連結されるホースコネクタ１１０の小径経路１２０ｂ内周に縦方向に設ける。 この場合、個々の溝１４３はＵ字型の屈曲性カップ２００より長いものとする。さらに、水圧制御弁にはホルダ３１０が含まれる。
【００２０】
ホルダ３１０は、大径経路１２０a端部に嵌装し、Ｕ字型の屈曲性カップ２００の内面と密接に接触する状態でＵ字型の屈曲性カップ２００の開口部に挿通する。 別の給水経路３２０をホルダ３１０の中心軸に沿って設ける。
【００２１】
第２実施形態に係る水圧制御弁の動作は次の通りである。つまり、図１２に示すように、水はホルダ３１０の給水経路３２０を介して、分岐ホースＨ／ＳからＵ字型の屈曲性カップ２００に供給される。
【００２２】
供給される水の圧力が低いとＵ字型の屈曲性カップ２００は外向きに伸張されず、かくして水の流れが防止される。
【００２３】
その一方、図１３に示すように、供給される水の圧力が高いとＵ字型の屈曲性カップ２００が外向きに伸張され、水はホルダ３１０の外面とＵ字型の屈曲性カップ２００との間のギャップを介して逆流する。したがって、水は、凹部１４２と整合するように縦方向に配設される凸凹座部１４０の凹部１４２及び溝１４３に沿って流れる。
【００２４】
第２実施形態に係る水圧制御弁は、水圧が比較的に高いときのみに給水が許容されるスペースで利用することができる。
【産業上の利用可能性】
【００２５】
上記のように、本発明は、水圧に拘わらず水の流れを一定に保つために水圧を制御するので、ドリップホースが高圧水によって損傷されることを防止し、簡単な構造によってその製造コスト低減し、最小限度の誤動作によって製品の信頼性を高めるという農業用ドリップホースのための水圧制御弁を提供する。
【００２６】
本発明の好適な実施形態は例示的な目的で開示したものであって、当業者であれば、種々の変更、付加および代替を添付の特許請求の範囲で開示した本発明の範囲および真の趣旨から逸脱することなく行い得ることを理解されるであろう。
【図面の簡単な説明】
【００２７】
【図１】本発明の実施形態に係る水圧制御弁の分解斜視図。
【図２】図１の水圧制御弁の内部を示すための分解断面図。
【図３】水圧制御弁が組み立てられた状態を示す図１の水圧制御弁の断面図。
【図４】図２のＡ−Ａ線に沿った断面図。
【図５】図１の水圧制御弁の動作を示す図であって、水圧が低いときの水圧制御弁の動作を示す図。
【図６】図１の水圧制御弁の動作を示す図であって、水圧制御弁の動作を示す図。
【図７】本発明の別の実施形態に係る水圧制御弁の分解斜視図。
【図８】図７の水圧制御弁の内部を示すための分解断面図。
【図９】図７の水圧制御弁に含まれているホースコネクタの部分断面斜視図。
【図１０】水圧制御弁が組み立てられた状態を示す第７図の水圧制御弁の断面図。
【図１１】図８のＢ−Ｂ線に沿った断面図。
【図１２】図７の水圧制御弁の動作を示す図であって、水圧が低いときの水圧制御弁の動作を示す図。
【図１３】図７の水圧制御弁の動作を示す図であって、水圧が高いときの水圧制御弁の動作を示す図。
【図１】
2006527596.tif 000003
【図２】
2006527596.tif 000004
【図３】
2006527596.tif 000005
【図４】
2006527596.tif 000006
【図５】
2006527596.tif 000007
【図６】
2006527596.tif 000008
【図７】
2006527596.tif 000009
【図８】
2006527596.tif 000010
【図９】
2006527596.tif 000011
【図１０】
2006527596.tif 000012
【図１１】
2006527596.tif 000013
【図１２】
2006527596.tif 000014
【図１３】
2006527596.tif 000015
【国際調査報告】
2006527596.tif 000016
2006527596.tif 000017